(57)【要約】【課題】収納や運搬およびプレゼンテーションの際にカメラおよびアームが邪魔になることがなく、使い勝手を向上させることができる資料提示装置を提供する。【解決手段】資料載置台５１と、資料Ｔを撮影するカメラ７３と、このカメラ７３を資料載置台５１の上方で支持するアーム７０とを備えている。アーム７０は、資料載置台５１に着脱自在に取り付けられている。【選択図】　　　　図２
2004056558.tif 000002
【特許請求の範囲】
【請求項１】
原稿等の資料を載置する資料載置手段と、上記資料を撮影する撮影手段と、この撮影手段を上記資料載置手段の上方で支持する支持手段とを備えた資料提示装置において、上記支持手段を上記資料載置手段に着脱自在に取り付けたことを特徴とする資料提示装置。
【請求項２】
前記資料載置手段に、前記撮影手段が撮影した撮影画像を記録する画像記録手段を設け、上記撮影画像を保存および再生可能としたことを特徴とする請求項１に記載の資料提示装置。
【請求項３】
前記撮影手段が撮影した撮影画像のデータを外部記録装置に出力するデータ出力手段を備え、上記撮影画像を上記外部記録装置に保存および再生可能としたことを特徴とする請求項１に記載の資料提示装置。
【請求項４】
前記資料載置手段と前記支持手段とのいずれか一方又は双方に、両者を取り付けたときに上記前記撮影手段と上記資料載置手段とが電気的に接続される接続手段を設けたことを特徴とする請求項１〜３のいずれかに記載の資料提示装置。
【請求項５】
前記資料載置手段と前記支持手段とのいずれか一方又は双方に、両者を取り付けたときに互いに係脱可能に係合させるロック機構を設けたことを特徴とする請求項１〜４のいずれかに記載の資料提示装置。
【請求項６】
前記資料載置手段の側部に、前記支持手段および前記撮影手段を収納する収納手段を設けたことを特徴とする請求項１〜５のいずれかに記載の資料提示装置。
【請求項７】
前記資料載置手段の互いに隣接する側部に、前記支持手段をＬ字状の状態で収納する収納枠を設け、上記側部のうち一方に、前記撮影手段を収納する収納凹部を設けたことを特徴とする請求項１〜５のいずれかに記載の資料提示装置。
【発明の詳細な説明】
【０００１】
【発明の属する技術分野】
本発明は、資料載置台に置かれた原稿等の資料を撮影し、その撮像をプロジェクタ等の投影手段からスクリーン等に投影することができる資料提示装置に関する。
【０００２】
【従来の技術】
スクリーンに映した映像に対して、プレゼンターが指示棒あるいはレーザポインタ等によりポイントを指示しながら説明や講演等を行うプレゼンテーションでは、画像をスクリーンに映す手段の一つとして、資料提示装置が用いられている。資料提示装置は、例えば特許第３２０１７０７号公報や特開２０００−３４１５８８号公報等に記載されているように、資料載置台にアームを突設し、アームの先端部に資料を撮影するカメラを支持した構成とされている。
【０００３】
上記のような資料提示装置では、資料載置台に原稿その他の資料を載置し、その資料をカメラで撮影した撮像をプロジェクタでスクリーンに投影しながらプレゼンテーションを行うことができる。また、プレゼンテーションでは、パソコンをプロジェクタに接続し、パソコン画面の画像をスクリーンに投影することも行われる。
【０００４】
【発明が解決しようとする課題】
しかしながら、上記のような資料提示装置では、資料載置台からカメラを支持するためのアームが突出しているため、アームが邪魔になって収納や持ち運びに不便を来すという問題があった。また、プレゼンテーションにおいては、スクリーンに投影する資料を交換する操作を行う場合や、スクリーンに指示棒等で指示する場合にも、アームおよびカメラが邪魔になるという問題もあった。また、聴衆者側からはアームやカメラで演者の顔などが見えにくいという問題もあった。
したがって、本発明は、収納や運搬およびプレゼンテーションの際にカメラおよびアームが邪魔になることがなく、使い勝手の良い資料提示装置を提供することを目的としている。
【０００５】
【課題を解決するための手段】
本発明の資料提示装置は、原稿等の資料を載置する資料載置手段と、資料を撮影する撮影手段と、この撮影手段を資料載置手段の上方で支持する支持手段とを備えた資料提示装置において、支持手段を資料載置手段に着脱自在に取り付けたことを特徴としている。
【０００６】
上記構成の資料提示装置にあっては、撮影手段を支持する支持手段を資料載置手段に着脱自在に取り付けているから、撮影手段を使用しないときは資料載置手段から取り外しておくことができる。したがって、撮影手段および支持手段が資料載置手段から突出して収納や運搬の際に邪魔になるようなことがなく、使い勝手が良い。
【０００７】
ここで、資料載置手段には、撮影手段が撮影した撮影画像を記録する画像記録手段を設けると好適である。このような画像記録手段を設けることにより、資料を予め撮影手段により撮影し画像記録手段に保存しておき、プレゼンテーション中に撮影画像を再生することができる。したがって、撮影手段および支持手段を資料載置手段から取り外した状態でプレゼンテーションを行うことができ、カメラ等がプレゼンテーションの邪魔になることがない。なお、画像記録手段としては、ハードディスクまたはそれを備えたパソコンや、フロッピィディスク、光磁気ディスク、ＣＤ　ＲＯＭなどのリムーバブル記録媒体などを用いることができる。
【０００８】
また、画像記録手段としては上記のような記録媒体を備えた外部記録装置を用いることもでき、そのために、撮影手段が撮影した撮影画像のデータを外部記録装置に出力するデータ出力手段を備えることも好適な態様である。
【０００９】
資料載置手段と支持手段とのいずれか一方又は双方に、両者を取り付けたときに撮影手段と資料載置手段とが電気的に接続される接続手段を設けると好適である。ここで、接続手段には、接触式または非接触式のコネクタ等を用いることができ、そのような接続手段により、撮影手段を駆動するための電源および信号や撮影手段による撮像データ等を、撮影手段と資料載置手段の間で入出力することができる。
【００１０】
資料載置手段と支持手段とのいずれか一方又は双方には、両者を取り付けたときに互いに係脱可能に係合させるロック機構を設けることができる。このように構成することにより、意図しないときに支持手段が資料載置手段から外れるような不都合を回避することができる。具体的には、支持手段を資料載置手段に嵌合させるように構成し、両者のうち一方に凹部を設けるとともに、他方に、凹部に弾性的に嵌合する凸部を設けることができる。この場合において、凸部に傾斜部を形成してワンタッチで凹部に嵌合するように構成すると良い。たとえば、支持手段を資料載置手段に挿入する力によって凸部が傾斜部に沿って後退し、次いで弾性部材の弾性力で凹部に嵌合するように構成することができる。
【００１１】
あるいは、支持手段を資料載置手段に挿入する際に手動で凸部を後退させ、次いで凸部から除荷して凹部に弾性部材の弾性力で嵌合させるように構成することもできる。手動で凸部を後退させる構成は、支持手段を資料載置手段から抜き出す際に有効である。あるいは、そのような構成を設けずに、凸部に傾斜部を形成し、支持手段を資料載置手段から抜き出す力によって凸部が傾斜部に沿って後退するように構成することもできる。
【００１２】
また、資料載置手段の側部に、支持手段および撮影手段を収納する収納手段を設けるとさらに好適である。このように構成することにより、資料載置手段とともに支持手段および撮影手段を運搬、保管および梱包することができるので、使い勝手がさらに向上する。
【００１３】
撮影手段を支持する支持手段は、資料載置手段の一側にＬ字状のアームを立設したものが一般的であり、アームの先端部に撮影手段を支持することにより、資料をできるだけ真上から撮影するようになされる。このような支持手段および撮影手段をコンパクトに収納するために、資料載置手段の互いに隣接する側部に、支持手段をＬ字状の状態で収納する収納枠を設け、側部のうち一方に、撮影手段を収納する収納凹部を設けると好適である。
【００１４】
【発明の実施の形態】
［第１実施形態］
Ａ．第１実施形態の構成
以下、図１〜図７を参照して本発明の第１実施形態を説明する。
図１は、一実施形態の資料提示装置を備えたプレゼンテーションシステムの全体を概略的に示している。図１において符号１はスクリーン、２はスクリーン１に液晶画像を投影する液晶プロジェクタ、３は制御演算部、４はパソコンである。パソコン４では画像のデータが生成され、その画像データおよび各種コマンドが、パソコン４から制御演算部３に入力される。そして、制御演算部３で処理された画像データが液晶プロジェクタ２に入力され、その画像データに基づく画像が液晶プロジェクタ２からスクリーン１に投影される。
【００１５】
図１で符号５は資料提示装置である。この資料提示装置５は、図２に概略的に示すように、装置の基台となる矩形箱状の資料載置台（資料載置手段）５１を備えている。資料載置台５１の一側部の中央には、装着部６０が設けられ、装着部６０にはアーム７０が着脱自在に取り付けられている。アーム７０は、資料載置台５１に鉛直に立設された鉛直部７１と、この鉛直部７１の上端部から資料載置台５１の中央部まで延在する水平部７２とから構成され、水平部７２の先端部には、カメラ（撮影手段）７３が取り付けられている。以下、装着部６０およびこれと協働するアーム７０の詳細を図３〜図６を参照して説明する。
【００１６】
図３〜図６に示すように、資料載置台５１の一側には上部が開放された装着穴６１が形成されている。装着穴６１は、断面が矩形状をなし、その壁部には外部と連通する係合孔または装着部６の内部側に開口を持つ凹部（ロック機構）６２が形成されている。一方、図４に示すように、アーム７０の鉛直部７１の下端部には、鉛直方向に延在する溝７４が形成され、溝７４には、ストッパ（ロック機構）７５が軸７６によって回動自在に支持されている。ストッパ７５は、長手方向を鉛直方向へ向けた矩形板状のもので、その自由端部にはボタン７６が固定されている。また、ストッパ７５の長手方向中間部には、側方へ向けて突出する凸部７７が形成されている。凸部７７は、長手方向とほぼ直交する係合面７７ａと、長手方向に対して傾斜する傾斜面７７ｂとを備えており、アーム７０の係合孔６２に出没自在とされている。また、ストッパ７５と溝７４との間には、圧縮コイルバネ７８が介装され、凸部７７を外側へ押圧している。
【００１７】
上記構成の装着部６０には、コネクタ６５（図２にのみ示す）が取り付けられている。アーム７０の鉛直部７１の下端部にもコネクタ６５に適合するコネクタ（図示略）が設けられており、アーム７０を装着部６０に挿入して取り付けることにより、両者は接触または非接触で電気的に接続される。これらコネクタは、カメラ７３と制御演算部３とを電気的に接続している。なお、この第１実施形態では、制御演算部３は制御演算部３は原稿載置台５１の内部に収容されており、液晶プロジェクタ２およびパソコン４は制御演算部３に接続されている。
【００１８】
図２に示すように、資料載置台５１には、フロッピィディスク、光磁気ディスク、ＣＤ　ＲＯＭなどのリムーバブル記録媒体を使用するためのドライブ５６が設けられている。このドライブ５６に挿入される記録媒体には、カメラ７３で撮影した撮像の画像データが記録される。また、資料載置台５１には、プロジェクタ２に画像データを出力したり、パソコン４と制御演算部３との間でデータとのやり取りを行うための入出力ポート（データ出力手段）５７が設けられている。なお、カメラ７３が撮影した撮像の画像データは、入出力ポート５７を介してパソコンに内蔵されたハードディスク等の記録媒体にも記録することができる。
【００１９】
カメラ７３によって撮影された撮像は、液晶プロジェクタ２からスクリーン１に投影される。この場合、撮影された撮像をそのまま液晶プロジェクタ２から投影することができ、あるいは、ドライブ５６に挿入した記録媒体から読み出した画像データにより液晶プロジェクタ２から再生することもできる。液晶プロジェクタ２からは、パソコン４側とカメラ７３側の画像のいずれか、またはそれに上記制御演算部３によってポイント画像などが合成された画像が投影され、その切換えは、パソコン４からのコマンドあるいは原稿載置台５１に設けられるスイッチ等によってなされる。
【００２０】
次に、資料載置台５１には、アーム７０およびカメラ７３を収納する収納手段が設けられている。すなわち、図３等に示すように、資料載置台５１の一側部には、先端が上方へ向けて屈曲した一対のフック（収納枠）５２が互いに離間して取り付けられている。また、その一側部と隣接する一側部にも同等のフック（収納枠）５３が取り付けられている。このフック５３と相対向する資料載置台５１の壁部には、カメラ７３を収納するための収納庫（収納凹部）５４が形成されている。そして、図６に示すように、３つのフック５２，５３によりアーム７０が資料載置台５１の側部で支持された状態で、収納庫５４にカメラ７３が収納されるようになっている。
【００２１】
Ｂ．第１実施形態の動作
（１）プレゼンテーションの準備
次に、上記構成のプレゼンテーションシステムを用いてプレゼンテーションを行う手順について説明する。まず、カメラ７３およびアーム７０を資料載置台５１に収納した状態（図６）から取り出し、アーム７０の下端部を資料載置台５１の装着部６０（装着穴６１）に挿入する。すると、ストッパ７５の凸部７７が装着穴６１の内縁部に当接し、凸部７７の傾斜面７７ｂが押圧されてストッパ７５が溝７４の内側に押し込まれる。これにより、凸部７７は装着穴６１の縁部をくぐり抜けた後、圧縮コイルバネ７８の弾性力で押し出されて係合孔６２に嵌合する（図４参照）。この状態では、ストッパ７５の凸部７７が係合孔６２と係合しているから、アーム７０は装着部６０に抜けないように保持されるとともに、図２に示すコネクタ６５がアーム７０側のコネクタに電気的に接続される。また、その状態でカメラ７３は、資料載置台５１のほぼ中央の上方に配置される。
【００２２】
次に、プロジェクタ２からスクリーン１に投影する（またはその可能性のある）資料Ｔをカメラ７３で撮影し、その撮像の画像データをドライブ５６内の記録媒体あるいはパソコン４内の記録媒体に保存する。
【００２３】
（２）プレゼンテーション
プレゼンテーションにおいては、パソコン４側とカメラ７３側の画像のいずれか、またはそれに上記制御演算部３によってポイント画像などが合成された画像が液晶プロジェクタ２から投影され、その切換えは、パソコン４からのコマンドあるいは資料載置台５１に設けられるスイッチ等によってなされる。また、プレゼンターは、カメラ７３で撮影された資料載置台５１上の資料Ｔを投影するか、ドライブ５６内の記録媒体あるいはパソコン４内の記録媒体に保存した画像を投影するかを、資料載置台５１に設けられるスイッチ等によって選択する。この場合において、記録媒体に記録した画像を再生するときは、次に説明する手順でカメラ７３およびアーム７０を収納した状態でも使用できる。
【００２４】
（３）資料提示装置の収納
プレゼンテーションの終了後、カメラ７３およびアーム７０を取り外して収納する手順は、まず、アーム７０を資料載置台５１の装着部６０から取り外す。その際、ストッパ７５のボタン７６を押圧することによりストッパ７５を図４中反時計方向に回動させ、凸部７７を係合孔６２から離脱させる。これにより、アーム７０を装着部６０から抜き出すことができ、また、その際には、コネクタ６５とアーム７０のコネクタが切り離される。次いで、アーム７０をフック５２，５３に載置するとともにカメラ７３を収納庫５４に収納する。
【００２５】
以上により、アーム７０およびカメラ７３は、フック５２，５３および収納庫５４からなる収納手段に完全に収納され、全体としてほぼ矩形の箱状となる。したがって、資料提示装置５の収納形態をコンパクトにすることができ、収納や運搬の際にカメラ７３およびアーム７０が邪魔になることがなく、使い勝手を向上させることができる。
【００２６】
特に、上記第１実施形態では、カメラ７３が撮影した資料Ｔの画像データを記録媒体に記録し再生するように構成しているから、カメラ７３およびアーム７０を収納手段に収納してプレゼンテーションを行うことができ、したがって、その際にもカメラ７３やアームが邪魔になることがない。また、上記第１実施形態では、アーム７０を装着部６０に挿入することでコネクタ６５が接続される構成であるから、操作が簡略化されるとともに、配線やコネクタが外部にはみ出ず構成をさらにコンパクトにすることができる。さらに、上記第１実施形態では、アーム７０を装着部６０に取り付けたときに互いに係脱可能に係合させるストッパ７５を設けているから、意図しないときにアーム７０が資料載置台５１から外れるような不都合を回避することができる。しかも、ストッパ７５の凸部７７に形成した傾斜面７７ｂにより、アーム７０を装着部６０に挿入するだけで両者を係合させることができるので、操作をさらに簡略化することができる。
【００２７】
［第２実施形態］
次に、図８および図９は本発明の第２実施形態を示す図である。この第２実施形態はストッパの構成が第１実施形態のものと異なっており、第１実施形態と同等の構成要素には同符号を付してその説明を省略する。図８に示すように、ストッパ（ロック機構）８５は、アーム７０の鉛直部７１に形成された溝７４に水平方向へ摺動自在に挿入されている。ストッパ８５には、第１実施形態と同等のボタン８６が形成されているが、その他端側には断面円形の凸部８７が形成されている。
【００２８】
上記のように構成された第２実施形態では、アーム７０を装着部６０に挿入するに際して、ボタン８６を押圧してストッパ８５を溝７４の内側へ摺動させる。これにより、凸部８７が係合孔６２の縁部よりも外側に配置されるので、凸部８７が係合孔６２に臨む位置までアーム７０を挿入することができる。その後、ボタン８６から除荷して凸部８７を係合孔６２に嵌合させる。これにより、アーム７０が装着部６０から抜けない状態となる。なお、アーム７０を装着部６０から取り外す際には、ボタン８６を押圧した状態でアーム７０を装着部６０から抜き出せばよい。
【００２９】
上記構成の第２実施形態においても第１実施形態と同等の作用、効果を得ることができる。なお、本発明は上記のような実施形態に限定されるものではなく、種々の変更が可能である。たとえば、カメラ７３を収納する収納庫５４を設けずに、図６においてカメラ７３が資料載置台５１の側方（フック５２と反対側の側部）に配置されるような収納形態を採用することもできる。あるいは、カメラ７３が資料載置台５１の内部に収納されるような収納形態を採用することもできる。たとえば、カメラ７３を図６において資料載置台５１の右側から挿入するような形態である。
【００３０】
【発明の効果】
以上説明したように本発明によれば、支持手段を資料載置手段に着脱自在に取り付けているから、収納や運搬およびプレゼンテーションの際にカメラおよびアームが邪魔になることがなく、使い勝手を向上させることができる等の効果が得られる。
【図面の簡単な説明】
【図１】本発明の第１実施形態に係る資料提示装置が適用されたプレゼンテーションシステムの概略図である。
【図２】第１実施形態の資料提示装置の概略を示す斜視図である。
【図３】第１実施形態の資料提示装置を示す一部破砕側面図である。
【図４】図３の矢印ＩＶで示す部分の拡大図である。
【図５】第１実施形態の資料提示装置を示す平面図である。
【図６】第１実施形態の資料提示装置においてカメラおよびアームを収納した状態を示す平面図である。
【図７】第１実施形態の資料提示装置を示す側面図である。
【図８】本発明の第２実施形態の資料提示装置の要部を示す側断面図である。
【図９】第２実施形態の資料提示装置を示す側面図である。
【符号の説明】
５…資料提示装置、５１…資料載置台（資料載置手段）、
５２，５３…フック（収納手段、収納枠）、
５４…収納庫（収納手段、収納凹部）、
５６…ドライブ、５７…入出力ポート（データ出力手段）、
６０…装着部、６２…係合孔（ロック機構）、
６５…コネクタ（接続手段）、７０…アーム（支持手段）、
７３…カメラ（撮影手段）、７５…ストッパ（ロック機構）、
Ｔ…資料。
【図１】
2004056558.tif 000003
【図２】
2004056558.tif 000004
【図３】
2004056558.tif 000005
【図４】
2004056558.tif 000006
【図５】
2004056558.tif 000007
【図６】
2004056558.tif 000008
【図７】
2004056558.tif 000009
【図８】
2004056558.tif 000010
【図９】
2004056558.tif 000011